(57)【特許請求の範囲】
【請求項１】
コネクタを介してそれぞれが可動できる状態でバンド状に連結された複数のセグメントと、
前記複数のセグメント内に配置される複数の電子部品と、
前記複数のセグメント内の複数の電子部品を接続し、少なくとも１つのセグメント内に蛇行形状で配置されるフレキシブル回路基板とを備え、
前記複数のセグメントは、バックル機構が取り付けられると共に装着者への通知を行う通知部を収容する第１セグメントと、フレキシブル回路基板が配置される第２セグメントと、バッテリが配置される第３セグメントを含む
バンド型電子機器。
【請求項２】
バンド状に連結される前記複数のセグメントには、腕時計の本体が取り付けられる
請求項１に記載のバンド型電子機器。
【請求項３】
前記フレキシブル回路基板は、第２セグメント内の空間に蛇行形状に配置される
請求項１又は２に記載のバンド型電子機器。
【請求項４】
前記第１セグメントと前記第２セグメントとの接続箇所に、前記電子部品が配置されたセグメントの内部を防水構造とする防水部材を配置した
請求項１〜３のいずれか１項に記載のバンド型電子機器。
【請求項５】
前記第１セグメントに内蔵された前記電子部品は、無線通信を行う通信部を備え、
前記通信部で受信したデータに基づいて前記通知部が装着者への通知を行う
請求項１〜４のいずれか１項に記載のバンド型電子機器。
【請求項６】
前記通信部が配置された前記第１セグメントは、スリットを備えた金属で構成され、前記スリットの近傍のセグメント内部に、前記通信部に接続されたアンテナを配置した
請求項５に記載のバンド型電子機器。
【請求項７】
前記通知部は、発光ダイオード、液晶ディスプレイ、有機ＥＬパネルの少なくとも１つである
請求項１〜６のいずれか１項に記載のバンド型電子機器。
【請求項８】
腕時計本体と、前記腕時計本体に接続されるバンドとで構成され、前記バンドに取り付けられたバックル機構により開閉が可能な腕時計であり、
前記バンドは、
コネクタを介してそれぞれが可動できる状態でバンド状に連結された複数のセグメントと、
前記複数のセグメント内に配置される複数の電子部品と、
前記複数のセグメント内の複数の電子部品を接続し、少なくとも１つのセグメント内に蛇行形状で配置されるフレキシブル回路基板とを備え、
前記複数のセグメントは、前記バックル機構が取り付けられると共に装着者への通知を行う通知部を収容する第１セグメントと、フレキシブル回路基板が配置される第２セグメントと、バッテリが配置される第３セグメントを含む
腕時計。
【発明の詳細な説明】
【技術分野】
【０００１】
本発明は、腕時計に附随するバンドとして構成されるバンド型電子機器、およびそのバンド型電子機器が取り付けられた腕時計に関する。
【背景技術】
【０００２】
近年、スマートウォッチと称される、腕時計タイプの電子機器が実用化されている。スマートウォッチは、腕時計と同様にユーザの腕に装着して使用するものであり、ディスプレイに表示される情報で、電話や電子メールの着信などの各種メッセージをユーザに通知する。スマートウォッチは、電子機器の本体部分の表面にディスプレイが組み込まれ、ディスプレイに様々な情報が表示される。通常、スマートウォッチは、無線電話端末（スマートフォン）とBluetooth（登録商標）などの近距離無線通信を行うことで、無線電話端末から情報を取得する。
【先行技術文献】
【特許文献】
【０００３】
【特許文献１】特開２００６−１０１５０５号公報
【発明の概要】
【発明が解決しようとする課題】
【０００４】
ところで、既に実用化されているスマートウォッチは、いずれのメーカーの製品であっても、１辺が数cm程度のディスプレイが本体の表面に配置され、ほぼ同じような画一的なデザインである。一方、時刻のみを表示する従来の腕時計は、装身具として長い歴史があり、様々なデザインのものが製品化されている。
【０００５】
従来の腕時計のようデザイン的に優れたスマートウォッチが望まれているが、従来の腕時計に、スマートウォッチとしての電子回路部品を組み込んで配置することは困難であった。特許文献１には、腕時計型の形状のモバイル電子機器についての記載があるが、腕時計型の筐体に電子回路部品をどのように組み込むかについては、特許文献１には全く記載がない。もし特許文献１に記載されたようなモバイル電子機器を、従来の技術で実現しようとした場合、モバイル電子機器本体を構成する筐体が非常に大型化してしまう。
【０００６】
本発明は、様々なデザインの既存の腕時計を生かしながら、スマートウォッチとしての機能を組み込むことができる電子機器を提供することを目的とする。
【課題を解決するための手段】
【０００７】
本発明のバンド型電子機器は、コネクタを介してそれぞれが可動できる状態でバンド状に連結された複数のセグメントと、複数のセグメント内に配置される複数の電子部品と、複数のセグメント内の複数の電子部品を接続し、少なくとも１つのセグメント内に蛇行形状で配置されるフレキシブル回路基板とを備え、複数のセグメントは、バックル機構が取り付けられると共に装着者への通知を行う通知部を収容する第１セグメントと、フレキシブル回路基板が配置される第２セグメントと、バッテリが配置される第３セグメントを含む。
【０００８】
また、本発明の腕時計は、腕時計本体と、腕時計本体に接続されるバンドとで構成され、バンドに取り付けられたバックル機構により開閉が可能な腕時計システムであり、バンドは、コネクタを介してそれぞれが可動できる状態でバンド状に連結された複数のセグメントと、複数のセグメント内に配置される複数の電子部品と、複数のセグメント内の複数の電子部品を接続し、少なくとも１つのセグメント内に蛇行形状で配置されるフレキシブル回路基板とを備え、複数のセグメントは、バックル機構が取り付けられると共に装着者への通知を行う通知部を収容する第１セグメントと、フレキシブル回路基板が配置される第２セグメントと、バッテリが配置される第３セグメントを含む。
【発明の効果】
【０００９】
本発明によると、複数のセグメントにフレキシブル回路基板を配置する場合において、特定のセグメント内に、蛇行形状でフレキシブル回路基板が配置される。このような蛇行形状を有することで、フレキシブル回路基板は、バンドが屈曲しても、ストレスが加わらず、回路の切断を防ぐことができる効果を有する。したがって、ウォッチ本体を構成する筐体ではなく、そのウォッチ本体に取り付けられるバンド側のセグメントに、電子回路部品を内蔵させることが可能になり、ウォッチ本体側には変更を加える必要がなくなり、スマートウォッチを構成する上でデザインや形状に制約がなくなる。
【図面の簡単な説明】
【００１０】
【図１】本発明の一実施の形態例によるバンド型電子機器の構成を示す斜視図である。
【図２】本発明の一実施の形態例によるバンド型電子機器のセグメントの内部の概要を示す斜視図である。
【図３】本発明の一実施の形態例によるバンド型電子機器の回路構成を示すブロック図である。
【図４】本発明の一実施の形態例によるバンド型電子機器の各セグメント内の配置例を示す分解斜視図である。
【図５】本発明の一実施の形態例によるフレキシブル回路基板の配置状態を示す断面図である。
【図６】本発明の一実施の形態例によるバッテリの配置状態を示す分解斜視図である。
【図７】本発明の一実施の形態例による表示状態を示す説明図である。
【図８】本発明の一実施の形態例の変形例（バッテリを増やした例）の構成を示す分解斜視図である。
【発明を実施するための形態】
【００１１】
以下、本発明の一実施の形態例（以下、「本例」と称する。）のバンド型電子機器について、添付図面を参照して、以下の順序で説明する。
１．バンド型電子機器の概要
２．バンド型電子機器の全体構成（図１）
３．セグメントの内部の概要（図２）
４．バンド型電子機器の回路構成（図３）
５．セグメント内の部品の配置例（図４）
６．フレキシブル回路基板の配置状態（図５）
７．バッテリの配置状態（図６）
８．表示状態の例（図７）
９．変形例（バッテリを増設した例：図８）
１０．本例の構成による効果
１１．その他の変形例
【００１２】
［１．バンド型電子機器の概要］
まず、本例のバンド型電子機器の概要について説明する。本例のバンド型電子機器は、通常の腕時計のバンドに相当する部分が本体になっており、バンド（ベルト）単体で電子機器として成り立つようになっている。すなわち、針などで時刻を表示するウォッチ本体は、従来のウォッチがそのまま使用可能である。そして、そのウォッチ本体に取り付けられるバンド（本例のバンド型電子機器）は、通信機能や告知機能を内蔵する。したがって、本例のバンド型電子機器は、様々なウォッチ本体に取り付けることが可能である。本例のバンド型電子機器は、例えば金属製のバンドで構成する。
【００１３】
本例のバンド型電子機器は、既に製品化されているスマートウォッチと同様に、電子メールや着信などの通知、ユーザの行動履歴などのログの記録、通話などを行うことができる。また、本例のバンド型電子機器は、非接触式ＩＣカードとしての機能を備え、非接触式ＩＣカードを利用した決済や認証を行うことができる。
【００１４】
本例のバンド型電子機器は、金属製のバンド内に、通信処理や通知処理を行う回路部品を内蔵している。金属製のバンドを薄型化しながら、電子機器として機能するようにするために、バンド型電子機器は、複数のセグメントを連結したバンドとし、各セグメントに回路基板，振動モーター，電池，加速度センサを入れ込む必要がある。各セグメントの回路基板，振動モーター，電池，加速度センサなどの部品は、フレキシブルプリント回路基板（以下、「ＦＰＣ」と称する。）で接続されている。ただし、各部品を接続したＦＰＣを内蔵したバンドは、円形に折り曲げるとＦＰＣの配線に応力がかかり、ＦＰＣの配線が切れてしまうという問題がある。これは後述の通り、蛇行形状を設けることで解決できるが、そのままではバンド内部の防水性が確保できないという新たな問題が発生する。また、金属製のバンドの中にアンテナを配置すると、電波がバンドの外に出ないという問題もある。さらに、通常、バンドを止めるバックル機構は、ＦＰＣを配置することできないので、バックル機構の箇所の前後で電気的な接続をすることが困難である。
【００１５】
つまり、金属製のバンド内に電子機器を組み込むためには、以下の３点の問題を解決する必要がある。
ａ．ＦＰＣの配線及び防水の問題
ｂ．金属筐体によるアンテナの問題
ｃ．バックルの機構と電気接点の問題
以下、この３点の問題を解決する構成の概要を説明する。
【００１６】
・ＦＰＣの配線及び防水の問題を解決する構成
電子機器の部品を各セグメントに配置するにあたって、セグメントの間は、ＦＰＣで接続される必要がある。しかし、金属製のバンドをユーザの腕に取り付けるように曲げると、ＦＰＣの外側に応力がかかるため、ＦＰＣが切れることがある。そこで、蛇行形状を設けることにより、ＦＰＣが切れることを防止する。また、本例の電子機器は、腕時計に取り付けることを前提にしたバンド型電子機器であるので、防水を取りながら蛇行形状を設ける必要がある。そこで本例では、各セグメントの間に、時計のバンドならでは部品である「つがい部品」という小さなセグメントが用意される。
【００１７】
小さいセグメントの空間内は、ＦＰＣが蛇行した形状とされる。この蛇行形状は、Ｓ字形状、Ｖ字形状、Ｕ字形状、Ｚ字形状、曲線形状、半円形状、折れ線形状等、いずれの形状でもよい。このようにすることで、たとえ金属製のバンドを曲げても、ＦＰＣの蛇行形状が伸びるだけであり、ＦＰＣが切れることがない。さらに、セグメント部にあるＦＰＣの出入口は、ゴムパッキン（比較的柔らかい樹脂）で押さえる。そして、つがい部は、出入口を押さえることなくＦＰＣが自由に動くようにして、各セグメントの防水性を保つ。この「つがい部」を導入することで、本体の防水性を確保しながらＦＰＣが切れることを防止することが可能になる。
なお、１つの部品（セグメント）のみで電子部品が完結する場合は、この「つがい部」を省略することが可能である。
【００１８】
・金属筐体によるアンテナの問題
金属製のバンドは、内部にアンテナを入れると、アンテナからの電波が外に出ないという問題がある。本発明では、金属製のバンドの１つの筐体（部品）に、Bluetooth（登録商標）用のアンテナと、NFC（Near Field Communication）用のアンテナを配置する。アンテナを入れた部品は、他の部品からアンテナ特性に影響を与えないように、隣接する他の部品との間に絶縁体を挟むようにする。
【００１９】
また、アンテナを内蔵した部品は、その部品の全面（おおよそ６面）をアンテナとして用いるが、ユーザの肌に接するとアンテナ特性が悪化するので、ユーザの肌と接する面をアンテナとして利用せずに、金属以外の材料で作製してもよい。また、他の例として、ユーザの肌と触れる金属部品とアンテナとして働く部品との間には、絶縁層が挟まれるようにしてもよい。さらに、アンテナを内蔵した部品がスリットを備えるようにして、スリットアンテナとして使用してもよい。Bluetooth用のアンテナを配置する部品と、NFC用のアンテナを配置する部品を、別の部品にしてもよい。Bluetoothの無線通信は、２．４GHｚ帯の通信を行うため、バンド型電子機器とスマートフォンとで障害物がない状況で無線通信を行ったとき、平均で１０ｍ程度までペアリングが可能であった。本発明の実施の形態例は、金属筐体自体をアンテナとする手法を導入することで、アンテナ問題を解決することができる。
【００２０】
・バックルの機構／電気的接点の問題
金属製のバンドによるバンド型電子機器では、バックルと重なる位置に配置される一番大型の部品に基板が配置されるため、バックルが、通常の腕時計用のバックルよりも厚くなってしまう。また、バックル内は、FPCを通すことが困難である。したがって、バックルで接続された一方のセグメントと他方のセグメントとの間は、電気的な接続ができないという問題がある。
【００２１】
本例では、バックルを畳んだ際に、バックルを構成する２つの部品の内の一方の部品が、他方の部品の空いた空間に収まるような構造として、薄型化を実現した。また、バックルで接続された一方のセグメントと他方のセグメントとの間に、電気的な接点を配置する構成である。
【００２２】
［２．バンド型電子機器の全体構成］
図１は、本例のバンド型電子機器の全体構成を示す。
バンド型電子機器１０００は、時計本体２０００に取り付けられる金属製のバンドであり、ユーザの腕に装着される。
時計本体２０００は、文字盤２１００と、文字盤２１００の上を回転する針２１０１，２１０２を備え、針２１０１，２１０２の位置で時刻を表示する。時計本体２０００は、文字盤２１００の代わりに、液晶ディスプレイなどで電子的に時刻を表示してもよい。
時計本体２０００の外側には、下端と上端にバンド取付孔２２０１，２２０２が形成されている。
【００２３】
バンド型電子機器１０００は、複数のセグメント１１１０〜１２３０を連結した構成である。時計本体２０００の下側のバンド取付孔２２０１に、セグメント１１１０が取り付けられ、時計本体２０００の上側のバンド取付孔２２０２に、セグメント１２３０が取り付けられる。このとき、セグメント１２３０のピン１２３１がバンド取付孔２２０２に挿入される。セグメント１１１０についても、バンド取付孔２２０１に挿入されるピン（不図示）を備える。本例では、それぞれのセグメント１１１０〜１２３０は金属で構成される。
【００２４】
なお、図１や図２では、バンド型電子機器１０００の構成を説明するために、時計本体２０００とセグメント１２３０とが離れた状態を示すが、実際の使用時には、時計本体２０００にセグメント１２３０が取り付けられる。時計本体２０００にセグメント１２３０が取り付けられることで、バンド型電子機器１０００は、通常の腕時計と同様に、ユーザの腕に装着することができる。それぞれのセグメント１１１０〜１２３０の接続箇所は、可動させることが可能である。セグメントの接続箇所が可動できることで、バンド型電子機器１０００は、ユーザの腕にフィットさせることができる。
【００２５】
セグメント１１７０とセグメント１１６０との間には、バックル部１３００が配置される。バックル部１３００は、ロックを外した状態のとき長く伸び、ロックした状態のとき短くなる。バックル部１３００の詳細は後述する。
各セグメント１１１０〜１２３０は、複数種類のサイズで構成される。例えば、バックル部１３００と接続されたセグメント１１７０は、最も大きなサイズである。各セグメント１１１０〜１２３０のサイズの具体的な例は後述する。
【００２６】
［３．セグメントの内部の概要］
図２は、バンド型電子機器１０００の内部構成の一部を示す。
図２は、３個のセグメント１１７０，１１８０，１１９０の内部を示す。
本例のバンド型電子機器１０００は、連続した５個のセグメント１１７０〜１２１０の内部にフレキシブル回路基板１４００を配置する。セグメント１１７０内には、種々の電子部品が配置され、セグメント１１９０，１２１０にはバッテリ１４１１，１４２１（図３）が配置され、これらの部品がフレキシブル回路基板１４００で電気的に接続される。セグメント１１７０とセグメント１１９０との間のセグメント１１８０は、比較的小さなサイズであり、蛇行状態のフレキシブル回路基板１４００が配置される。セグメント１１８０の内部では、防水部材１１８１，１１８２に挟まれた状態でフレキシブル回路基板１４００が配置される。なお、セグメント１１７０〜１２１０の内部は、防水構造としてある。セグメント１１７０〜１２１０の防水構造については後述する。
【００２７】
［４．バンド型電子機器の回路構成］
図３は、バンド型電子機器１０００の回路構成を示すブロック図である。バンド型電子機器１０００の内部の回路は、時計本体２０００の内部の回路とは独立した構成である。
時計本体２０００は、文字盤２１００に配置された針２１０１，２１０２を回転させるムーブメント部２２００を備える。ムーブメント部２２００には、バッテリ２３００が接続されている。これらのムーブメント部２２００やバッテリ２３００は、時計本体２０００の筐体内に内蔵されている。
【００２８】
時計本体２０００に接続されたバンド型電子機器１０００は、３つのセグメント１１７０，１１９０，１２１０に、電子部品が配置される。
セグメント１１７０には、データ処理部１０１と無線通信部１０２とＮＦＣ通信部１０４とＧＰＳ部１０６とが配置される。無線通信部１０２，ＮＦＣ通信部１０４，ＧＰＳ部１０６には、それぞれアンテナ１０３，１０５，１０７が接続されている。それぞれのアンテナ１０３，１０５，１０７は、セグメント１１７０の後述するスリット１１７３（図４）の近傍に配置される。
【００２９】
無線通信部１０２は、例えばBluetooth（登録商標）の規格で他の端末と近距離無線通信を行う。ＮＦＣ通信部１０４は、ＮＦＣ（Near Field Communication）の規格で、近接したリーダー／ライタと無線通信を行う。ＧＰＳ部１０６は、ＧＰＳ（Global Positioning System）と称されるシステムの衛星からの電波を受信して、現在位置の測位を行う測位部である。これらの無線通信部１０２，ＮＦＣ通信部１０４，ＧＰＳ部１０６で得たデータは、データ処理部１０１に供給される。
【００３０】
また、セグメント１１７０には、ディスプレイ１０８とバイブレータ１０９とモーションセンサ１１０と音声処理部１１１とが配置されている。ディスプレイ１０８とバイブレータ１０９は、バンド型電子機器１０００の装着者に通知する通知部として機能するものである。
ディスプレイ１０８は、複数個の発光ダイオードで構成され、発光ダイオードの点灯や点滅でユーザに通知を行う。複数個の発光ダイオードは、例えばセグメント１１７０の後述するスリット１１７３の内部に配置され、電話の着信や電子メールの受信などが点灯又は点滅で通知される。ディスプレイ１０８としては、文字や数字などを表示するタイプのものが使用されてもよい。
バイブレータ１０９は、セグメント１１７０を振動させる部材である。バンド型電子機器１０００は、バイブレータ１０９によるセグメント１１７０の振動で、電話の着信や電子メールの受信などを通知する。
【００３１】
モーションセンサ１１０は、バンド型電子機器１０００を装着したユーザの動きを検出する。モーションセンサ１１０としては、加速度センサ、ジャイロセンサ、電子コンパス、気圧センサなどが使用される。また、セグメント１１７０は、モーションセンサ１１０以外のセンサを内蔵してもよい。例えば、バンド型電子機器１０００を装着したユーザの脈拍などを検出するバイオセンサが内蔵されてもよい。
音声処理部１１１には、マイクロフォン１１２とスピーカ１１３とが接続され、音声処理部１１１が、無線通信部１０２での無線通信で接続された相手と通話の処理を行う。また、音声処理部１１１は、音声入力操作のための処理を行うこともできる。
【００３２】
そして、セグメント１１９０にはバッテリ１４１１が内蔵され、セグメント１２１０にはバッテリ１４２１が内蔵される。バッテリ１４１１，１４２１は、例えばリチウムイオン電池で構成され、セグメント１１７０内の回路に駆動用の電源を供給する。セグメント１１７０内の回路とバッテリ１４１１，１４２１は、フレキシブル回路基板１４００（図４）により接続されている。なお、図３には示さないが、セグメント１１７０は、バッテリ１４１１，１４２１を充電するための端子を備える。また、セグメント１１９０，１２１０には、バッテリ１４１１，１４２１以外の電子部品が配置されてもよい。例えば、セグメント１１９０，１２１０は、バッテリ１４１１，１４２１の充放電を制御する回路を備えるようにしてもよい。
【００３３】
［５．セグメント内の部品の配置例］
図４は、電子部品などが配置されるセグメント１１７０〜１２１０と、セグメント１１７０と連結されたバックル部１３００の構成を示す。セグメント１１７０〜１２１０は、蓋部材（不図示）を開けた状態で示す。それぞれのセグメント１１７０〜１２１０を構成する筐体は、ステンレスなどの金属で形成される。
【００３４】
セグメント１１７０〜１２１０の内部には、フレキシブル回路基板１４１０と、このフレキシブル回路基板１４１０に取り付けられた電子部品などが配置される。
図４では、バックル部１３００の第１部材１３１０と第２部材１３２０とを開いた状態を示す。バックル部１３００は、第１部材１３１０と第２部材１３２０とを閉じたとき、セグメント１１７０の裏面（図４での上側）に重なった位置に配置される。
【００３５】
セグメント１１７０は、他のセグメントよりも大きなサイズであり、図３に示す各電子部品が収納される。セグメント１１７０の内側には、透明な樹脂（又は半透明な樹脂）よりなる内部筐体１５００が配置され、内部筐体１５００にフレキシブル回路基板１４１０などが配置される。
セグメント１１７０の一方の連結部１１７１は、バックル部１３００の連結部１３３０と連結される。また、セグメント１１７０の他方の連結部１１７２は、セグメント１１８０の連結部１１８３と連結される。セグメント１１８０の連結部１１８４は、セグメント１１９０と連結される。さらに、セグメント１１９０の隣にセグメント１２００が連結され、セグメント１２００の隣にセグメント１２１０が連結される。それぞれの連結部では、連結ピン（不図示）を使用して２つのセグメントが連結される。
【００３６】
セグメント１１７０の表面には、スリット１１７３が形成されている。ディスプレイ１０８を構成する発光ダイオードは、スリット１１７３に近接した内部筐体１５００内に配置される。したがって、ユーザは、セグメント１１７０のスリット１１７３を見ることで、発光ダイオードの発光や点滅を確認することができる。また、スリット１１７３に近接した内部筐体１５００内には、各アンテナ１０３，１０５，１０７が配置される。したがって、各アンテナ１０３，１０５，１０７は、金属製のセグメント１１７０の外側との通信状態を良好に保つことができる。
【００３７】
セグメント１１７０の内部筐体１５００には、フレキシブル回路基板１４００の第１部分１４０１が配置される。フレキシブル回路基板１４００の第１部分１４０１は、接続部材１４３１を介してリジット基板１４４０に接続される。リジット基板１４４０には、各種電子部品１４４１，１４４２，１４４３，・・・が接続される。電子部品１４４１，１４４２，１４４３，・・・は、図３に示す処理部１０１〜１１３に相当する。
【００３８】
セグメント１１９０とセグメント１２１０は、バッテリ１４１１，１４２１を収納することができるサイズである。セグメント１１８０とセグメント１２００は、セグメント１１９０，１２１０よりも小さなサイズである。
フレキシブル回路基板１４００の第２部分１４０２は、セグメント１１８０に蛇行状態で配置される。フレキシブル回路基板１４００の第３部分１４０３には、バッテリ１４１１が接続される。フレキシブル回路基板１４００の第４部分１４０４は、セグメント１２００に蛇行状態で配置される。フレキシブル回路基板１４００の第５部分１４０５には、バッテリ１４２１が接続される。なお、フレキシブル回路基板１４００の蛇行状態の詳細は図５で説明する。
【００３９】
［６．フレキシブル回路基板の配置状態］
図５は、フレキシブル回路基板１４００が、セグメント１１７０〜１１９０の内部に配置される状態を断面で示す。
フレキシブル回路基板１４００は、各セグメント１１７０〜１１９０の内部に連続して配置される。図５に示すように、フレキシブル回路基板１４００は、セグメント１１７０の連結部１１７１と、セグメント１１８０の連結部１１８３との内部を通過する。この場合、連結部１１７１の内部には、フレキシブル回路基板１４００が通過する箇所に防水部材１１７４が配置され、セグメント１１７０の内部への水の浸入が阻止される。また、セグメント１１７０の内部筐体１５００にも、防水部材１１７５が配置される。
【００４０】
また、セグメント１１８０の内部には、防水部材１１８１，１１８２（図２参照）が配置され、セグメント１１８０の内部への水の浸入が阻止される。それぞれの防水部材１１７４，１１７５，１１８１，１１８２は、例えば比較的柔らかい樹脂で成形され、セグメント１１８０の内側とフレキシブル回路基板１４００との間の隙間が塞がれる。
そして、セグメント１１８０の内部では、フレキシブル回路基板１４００が蛇行状態で配置される。すなわち、セグメント１１８０の内部のフレキシブル回路基板１４００には、湾曲した蛇行箇所１４００Ｘが形成されている。
【００４１】
フレキシブル回路基板１４００の蛇行箇所１４００Ｘは、フレキシブル回路基板１４００の損傷を防ぐように機能する。例えば、セグメント１１８０とセグメント１１７０との連結箇所が大きく曲がった場合でも、フレキシブル回路基板１４００の蛇行箇所１４００Ｘが直線状に伸びて、フレキシブル回路基板１４００が引っ張られることがない。したがって、フレキシブル回路基板１４００内の回路パターンが破断するような不具合が生じない。
【００４２】
なお、図５に示す蛇行箇所１４００Ｘは一例であり、その他の形状としてもよい。すなわち、蛇行箇所１４００Ｘは、Ｓ字形状、Ｖ字形状、Ｕ字形状、Ｚ字形状、曲線形状、半円形状、折れ線形状等、蛇行した様々な形状とすることができる。
【００４３】
［７．バッテリの配置状態］
図６は、セグメント１１９０内に、バッテリ１４１１が配置される状態を示す。セグメント１２１０内に、バッテリ１４２１が配置される構成も、同じである。
セグメント１１９０の内部のバッテリ配置箇所１１９１に、バッテリ１４１１が配置される。このとき、バッテリ配置箇所１１９１とバッテリ１４１１との間に、接着シート１７０３が配置される。
【００４４】
また、バッテリ１４１１の表面（図６での上側）には、フレキシブル回路基板１４００の第３部分１４０３が、接着シート１７０１により接着される。この接着シート１７０１を使用した接着で、バッテリ１４１１の表面の電極１４１１Ａ，１４１１Ｂが、フレキシブル回路基板１４００内の回路パターンと接続される。さらに、バッテリ１４１１の表面が、接着シート１７０２を介してセグメント１１９０の蓋（不図示）と接着される。
ここで、接着シート１７０１は、バッテリ１４１１の表面の周囲を塞ぐ構成である。したがって、接着シート１７０１は、セグメント１１９０内のバッテリ１４１１の防水部材として機能するようになる。
【００４５】
［８．表示状態の例］
図７は、セグメント１１７０の表示例を示す。
セグメント１１７０内には、複数個の発光ダイオードで構成されるディスプレイ１０８が配置される。複数個の発光ダイオードは、セグメント１１７０のスリット１１７３の近傍に配置される。また、セグメント１１７０の内部に配置される内部筐体１５００が、透明又は半透明な樹脂で形成される。したがって、内部筐体１５００の内部の発光ダイオードが点灯したとき、スリット１１７３の箇所が点灯した状態となり、ユーザは点灯を確認することができる。たとえば、１個の発光ダイオードの点灯で、スリット１１７３の間の特定の箇所１１７３ａが明るくなる。また、別の発光ダイオードの点灯で、スリット１１７３の間の別の箇所１１７３ｂが明るくなる。それぞれの箇所１１７３ａ，１１７３ｂが点灯で明るくなる色は、それぞれ別の色としてもよい。このような発光ダイオードの点灯により、電話の着信や電子メールの受信などの様々な状態が通知される。
【００４６】
［９．変形例（バッテリを増設した例）］
図４の例は、セグメント１１９０，１２１０にバッテリ１４１１，１４１２を配置した。これに対して、バッテリは、バンド型電子機器１０００のその他のセグメントに配置してもよい。
【００４７】
図８は、セグメント１１７０とバックル部１３００を介して近接したセグメント１１５０′にバッテリ１９１１を配置した構成を示す。すなわち、バックル部１３００に連結された２つのセグメント１１５０′，１１６０′が、フレキシブル回路基板１９００を備える。フレキシブル回路基板１９００には、バッテリ１９１１を取り付ける。バッテリ１９１１は、セグメント１１５０′に内蔵される。そして、セグメント１１６０′には、導電ピン１９２１，１９２２が配置され、導電ピン１９２１，１９２２がフレキシブル回路基板１９００内の回路パターンを介してバッテリ１９１１に接続される。
【００４８】
また、セグメント１１７０に配置されるフレキシブル回路基板１４００に、導電ピン１４９１，１４９２が配置される。この導電ピン１４９１，１４９２は、セグメント１１７０の端から突出している。
そして、セグメント１１７０側の導電ピン１４９１，１４９２は、バックル部１３００を閉じたとき、セグメント１１６０′側の導電ピン１９２１，１９２２に接触するようになる。したがって、バッテリ１９１１がフレキシブル回路基板１４００側の回路と接続される。
このように構成することで、導電ピン１４９１，１４９２及び１９２１，１９２２が、バックル部１３００を挟んだ２つのセグメント１１６０′，１１７０の間を導通させる。
【００４９】
なお、図８に示す構成は一例であり、その他の構成でセグメント１１６０′側とセグメント１１７０側とを電気的に接続してもよい。例えば、バックル部１３００の連結部材１３３０に導電部材（導電ピンなど）を配置して、バックル部１３００を経由してセグメント１１６０′側とセグメント１１７０側とを導通させてもよい。
【００５０】
［１０．本例のバンド型電子機器による効果］
本例のバンド型電子機器は、既に製品化されているスマートウォッチと同様に、電子メールや着信などの通知、ユーザの行動履歴などのログの記録、通話などを行うことができる。また、本発明のバンド型電子機器は、非接触式ＩＣカードとしての機能を備え、非接触式ＩＣカードを利用した決済や認証を行うことができる。
【００５１】
しかも、本例のバンド型電子機器は、時計本体が従来の時計と同じものが使用できるため、デザイン的に優れた腕時計とすることができる。また、複数のセグメントは、防水構造であり、かつフレキシブル回路基板を蛇行して配置したため、回路パターンが切断しない効果を持つ。さらに、金属製のセグメント１１７０内のアンテナは、セグメント１１７０のスリットの近傍に配置されるため、良好に送信や受信を行うことができる。
【００５２】
［１１．その他の変形例］
なお、図１の例では、フレキシブル回路基板１４００が内部に配置されるセグメントは、電子部品が配置されるセグメント１１７０，１１９０，１２１０が比較的大型に構成し、フレキシブル回路基板１４００だけが配置されるセグメント１１８０，１２００が比較的小型に構成した。セグメント１１８０，１２００は、フレキシブル回路基板１４００の蛇行箇所が配置できれば良いため小型としたが、他のセグメント１１９０，１２１０と同じサイズとしてもよい。
【００５３】
また、図３の構成では、セグメント１１７０内に音声処理部１１１とマイクロフォン１１２とスピーカ１１３を配置して、音声通話などを行うようにした。これに対して、音声処理部１１１とマイクロフォン１１２とスピーカ１１３を備えないバンド型電子機器としてもよい。
【００５４】
また、図３の構成では、バッテリ１４１１，１４２１以外の電子部品が、全て１つのセグメント１１７０内に配置されるようにした。これに対して、電子部品が、複数のセグメントに分散して配置されるようにしてもよい。
さらに、ディスプレイ１０８は、発光ダイオードを使用した。これに対して、セグメント１１７０に配置されるディスプレイ１０８として、液晶ディスプレイや有機ＥＬパネルなどを使用して、文字，数字，図形などを表示するようにしてもよい。
【符号の説明】
【００５５】
１０１…データ処理部、１０２…無線通信部、１０３…アンテナ、１０４…ＮＦＣ通信部、１０５…アンテナ、１０６…ＧＰＳ部、１０７…アンテナ、１０８…ディスプレイ、１０９…バイブレータ、１１０…モーションセンサ、１１１…音声処理部、１１２…マイクロフォン、１１３…スピーカ、１０００…電子機器、１１１０〜１２３０…セグメント、１１７１，１１７２…連結部、１１７３…スリット、１１７４，１１７５…防水部材、１１８１，１１８２…防水部材、１１８３…連結部、１１９１…バッテリ配置箇所、１２３１…ピン、１３００…バックル部、１３１０…第１部材、１３２０…第２部材、１３３０，１３４０…連結部材、１４００…フレキシブル回路基板、１４０１〜１４０５…フレキシブル回路基板の各部分、１４１１，１４２１…バッテリ、１４３１…接続部材、１４４０〜１４４２…電子部品、１５００…内部筐体、１７０１，１７０２，１７０３…接着シート、２０００…時計本体、２１００…文字盤、２１０１，２１０２…針、２２００…ムーブメント部、２２０１，２２０２…バンド取付孔、２３００…バッテリ
【図１】
0006682808.tif 000002
【図２】
0006682808.tif 000003
【図３】
0006682808.tif 000004
【図４】
0006682808.tif 000005
【図５】
0006682808.tif 000006
【図６】
0006682808.tif 000007
【図７】
0006682808.tif 000008
【図８】
0006682808.tif 000009